(57)【要約】【課題】検出配線の寄生容量および配線抵抗の影響を抑制し、応答性が高く、安定したタッチ座標を得ることができるタッチパネルおよびそれを用いた表示装置を提供する。【解決手段】タッチスクリーン１において、左右に分割された検出領域ＤＬ、ＤＲの行検出配線７ａ，７ｂのうち、分割部で対向する２つの検出配線、たとえば第１左行検出用配線ＷｙＬ（１）と第１右行検出用配線ＷｙＲ（１）とを異なるタイミングで選択するように、スイッチ回路２１ａ，２１ｂを制御する。また列検出配線６ａ，６ｂのうち、分割部の長手方向に沿って隣接する２つの検出配線、たとえば第４左列検出用配線ＷｘＬ（４）と第１右列検出用配線ＷｘＲ（１）とを異なるタイミングで選択するように、スイッチ回路２０ａ，スイッチ回路Ｘ（Ｒ）２０ｂを制御する。【選択図】図４
2011238146.tif 000002
【特許請求の範囲】
【請求項１】
予め定める行方向または列方向に延びる分割部で分割された複数の検出領域を有し、各検出領域が、前記行方向および前記列方向に配設される複数の検出用配線を有するタッチスクリーンと、
前記複数の検出領域で並行して、前記複数の検出用配線を順次選択するスイッチ回路と、
前記スイッチ回路によって選択された前記検出用配線と、前記タッチスクリーンに近接する指示体との間に形成される静電容量を検出する静電容量検出回路と、
前記静電容量検出回路の検出結果に基づいて、前記タッチスクリーンにおける前記指示体の位置を表すタッチ座標を算出するタッチ座標算出回路とを備え、
前記スイッチ回路は、前記分割部で終端部が対向して隣接する２つの前記検出用配線を、異なるタイミングで選択することを特徴とするタッチパネル。
【請求項２】
予め定める行方向または列方向に延びる分割部で分割された複数の検出領域を有し、各検出領域が、前記行方向および前記列方向に配設される複数の検出用配線を有するタッチスクリーンと、
前記複数の検出領域で並行して、前記複数の検出用配線を順次選択するスイッチ回路と、
前記スイッチ回路によって選択された前記検出用配線と、前記タッチスクリーンに近接する指示体との間に形成される静電容量を検出する静電容量検出回路と、
前記静電容量検出回路の検出結果に基づいて、前記タッチスクリーンにおける前記指示体の位置を表すタッチ座標を算出するタッチ座標算出回路とを備え、
前記スイッチ回路は、前記分割部で前記分割部の延在方向に沿って隣接する２つの前記検出用配線を、異なるタイミングで選択することを特徴とするタッチパネル。
【請求項３】
各検出領域に対応して設けられる複数の前記静電容量検出回路と、
各静電容量検出回路に対応して設けられ、各静電容量検出回路の検出ノードに現れる検出電圧をバッファリングして出力する複数のバッファ回路とを備え、
各検出領域の前記複数の検出用配線のうち、前記スイッチ回路によって選択された検出用配線以外の検出用配線には、前記バッファ回路の出力電圧が印加されることを特徴とする請求項１または２に記載のタッチパネル。
【請求項４】
各検出領域に対応して設けられる複数の前記静電容量検出回路と、
各静電容量検出回路に対応して設けられ、各静電容量検出回路の検出ノードに現れる検出電圧をバッファリングして出力する複数のバッファ回路とを備え、
前記スイッチ回路は、各検出領域の前記複数の検出用配線のうち、前記行方向に配設される検出用配線を順次選択した後、前記列方向に配設される検出用配線を順次選択し、
前記スイッチ回路によって前記行方向に配設される検出用配線が順次選択されるとき、前記行方向に配設される検出用配線のうち、前記スイッチ回路によって選択された検出用配線以外の検出用配線には固定電位が印加され、前記列方向に配設される検出用配線には、対応する前記バッファ回路の出力電圧が印加され、
前記スイッチ回路によって前記列方向に配設される検出用配線が順次選択されるとき、前記列方向に配設される検出用配線のうち、前記スイッチ回路によって選択された検出用配線以外の検出用配線には固定電位が印加され、前記行方向に配設される検出用配線には、対応する前記バッファ回路の出力電圧が印加されることを特徴とする請求項１または２に記載のタッチパネル。
【請求項５】
各検出領域に対応して設けられる複数の前記静電容量検出回路と、
各静電容量検出回路に対応して設けられ、各静電容量検出回路の検出ノードに現れる検出電圧をバッファリングして出力する複数のバッファ回路とを備え、
前記スイッチ回路によって、前記分割部で前記分割部の延在方向に沿って隣接する２つの前記検出用配線のうち、一方の検出用配線が選択されるとき、他方の検出用配線が含まれる前記検出領域の各検出用配線には、対応する前記バッファ回路の出力電圧が印加されることを特徴とする請求項２に記載のタッチパネル。
【請求項６】
請求項１〜５のいずれか１つに記載のタッチパネルと、
前記タッチパネルの前記タッチスクリーンに装着される表示パネルとを備えることを特徴とする表示装置。
【請求項７】
前記タッチスクリーンは、前記表示パネルの前面側に粘着固定されることを特徴とする請求項６に記載の表示装置。
【発明の詳細な説明】
【技術分野】
【０００１】
本発明は、タッチパネルおよびそれを備える表示装置に関する。
【背景技術】
【０００２】
タッチパネルは、指などによるタッチを検出して、その位置座標を特定する装置である。タッチパネルは、優れたユーザインタフェース手段の一つとして注目されている。抵抗膜方式および静電容量方式などの種々の方式のタッチパネルが製品化されている。
【０００３】
静電容量方式のタッチパネルの一つとして、タッチセンサが内蔵されるタッチスクリーンの前面側を、厚さが数ｍｍ程度のガラス板などの保護板で覆った場合でも、タッチ検出が可能な投写型静電容量（Projected Capacitive）方式のタッチパネルがある（たとえば、特許文献１参照）。この方式のタッチパネルは、保護板を前面に配置できるので堅牢性に優れる点、手袋装着時でもタッチ検出が可能である点、および可動部が無いので長寿命である点などの利点を有している。
【０００４】
特許文献１に記載のタッチパネルを構成するタッチスクリーンは、静電容量を検出するための検出導体として、薄い誘電膜に形成された第１シリーズの導体エレメントと、第１シリーズの導体エレメント上に絶縁膜を隔て形成された第２シリーズの導体エレメントとを備えている。各導体エレメント間には電気的接触はなく、複数の交点が形成されている。導体エレメントとして最適な材料は、たとえば銀などの金属材料である。また、表示上その可視性が問題となり、可視性を低くする場合には、導体エレメントの材料として、インジウム錫酸化物（Indium Tin Oxide；略称：ＩＴＯ）が用いられる。また、導体エレメントに代えて、１０〜２０μｍの細い導線も使用可能である。
【０００５】
また、静電容量を検出する導体エレメントは、出力線、マルチプレクサ回路を介して、容量制御オシレータに接続される。容量制御オシレータの出力は、除算器でカウントされて、容量検出データとされる。さらに１以上の導体エレメントの検出容量相対値によって、導体エレメント間のタッチ位置が補間できる。
【０００６】
容量制御オシレータなどの検出回路および導体エレメントなどの検出配線の寄生容量、ならびに検出配線の抵抗は、タッチスクリーンにおけるタッチの検出時間および検出感度、ならびにタッチパネルの応答性および座標精度に影響する。この影響は、タッチスクリーンが大型化するに従って顕著になるので、タッチスクリーンの大型化が困難であるという問題がある。
【０００７】
たとえば検出配線の抵抗は、タッチスクリーンの大型化に伴って増加するので、前述の検出時間および検出感度などに与える影響が大きくなるという問題がある。この問題を解決するための技術が、非特許文献１に開示されている。非特許文献１に開示のタッチパネルのタッチスクリーンは、横長に形成されており、横方向である列方向（以下「Ｘ方向」という場合がある）に比べて、縦方向である行方向（以下「Ｙ方向」という場合がある）の方が、検出配線であるセンサの長さ寸法（以下「センサ長」という場合がある）が長くなっている。
【０００８】
非特許文献１に開示されるタッチスクリーンでは、センサの長い行方向であるＹ方向において、検出配線であるセンサを左右に２分割し、配線抵抗を低減している。左右の２つのエリアのＸＹセンサは、それぞれ連続してスキャンするように独立している。これによって、列方向であるＸ方向のセンサと、行方向であるＹ方向のセンサとの抵抗差を小さくし、センサのスキャンレートを向上させている。
【先行技術文献】
【特許文献】
【０００９】
【特許文献１】特表平９−５１１０８６号公報（第７頁１９行〜第８頁４行、第８頁２３行〜第９頁６行、第１３頁４行〜１２行、第１３頁２３行〜第１４頁１０行、図１、図２、図６、図８）
【非特許文献】
【００１０】
【非特許文献１】IDW'09（THE 16TH INTERNATIONAL DISPLAY WORKSHOPS）予稿集、２００９年１２月、ｐ．２１５６（左欄１行〜右欄１１行、Fig.６、７）
【発明の概要】
【発明が解決しようとする課題】
【００１１】
前述の非特許文献１に開示されるタッチスクリーンでは、Ｙ方向である行方向の検出配線を２分割し、配線抵抗を低減する構成にしている。仮に、このような左右に２分割されたタッチスクリーンにおいて、検出時間を短縮するために、左右の検出配線を同時にスキャンして検出する場合、左右の検出系が干渉するという問題が発生する。
【００１２】
このように検出時間を短縮するために、タッチスクリーンの領域を分割し、各領域を同時にスキャンおよび検出をする場合、各領域の検出系が干渉するという問題がある。しかし、非特許文献１には、各領域の検出系が干渉するという問題の解決策については、何ら開示されていない。
【００１３】
本発明の目的は、検出配線の寄生容量および配線抵抗の影響を抑制し、応答性が高く、安定したタッチ座標を得ることができるタッチパネルおよびそれを用いた表示装置を提供することである。
【課題を解決するための手段】
【００１４】
本発明のタッチパネルは、予め定める行方向または列方向に延びる分割部で分割された複数の検出領域を有し、各検出領域が、前記行方向および前記列方向に配設される複数の検出用配線を有するタッチスクリーンと、前記複数の検出領域で並行して、前記複数の検出用配線を順次選択するスイッチ回路と、前記スイッチ回路によって選択された前記検出用配線と、前記タッチスクリーンに近接する指示体との間に形成される静電容量を検出する静電容量検出回路と、前記静電容量検出回路の検出結果に基づいて、前記タッチスクリーンにおける前記指示体の位置を表すタッチ座標を算出するタッチ座標算出回路とを備え、前記スイッチ回路は、前記分割部で終端部が対向して隣接する２つの前記検出用配線を、異なるタイミングで選択することを特徴とする。
【００１５】
また本発明のタッチパネルは、予め定める行方向または列方向に延びる分割部で分割された複数の検出領域を有し、各検出領域が、前記行方向および前記列方向に配設される複数の検出用配線を有するタッチスクリーンと、前記複数の検出領域で並行して、前記複数の検出用配線を順次選択するスイッチ回路と、前記スイッチ回路によって選択された前記検出用配線と、前記タッチスクリーンに近接する指示体との間に形成される静電容量を検出する静電容量検出回路と、前記静電容量検出回路の検出結果に基づいて、前記タッチスクリーンにおける前記指示体の位置を表すタッチ座標を算出するタッチ座標算出回路とを備え、前記スイッチ回路は、前記分割部で前記分割部の延在方向に沿って隣接する２つの前記検出用配線を、異なるタイミングで選択することを特徴とする。
【００１６】
また本発明の表示装置は、前記タッチパネルと、前記タッチパネルの前記タッチスクリーンに装着される表示パネルとを備えることを特徴とする。
【発明の効果】
【００１７】
本発明のタッチパネルによれば、スイッチ回路は、分割部で終端部が対向して隣接する２つの検出用配線を、異なるタイミングで選択するので、分割部で終端部が対向して隣接する２つの検出用配線が同時に選択されて静電容量が検出されることを防ぐことができる。これによって、タッチスクリーンへの指などの指示体のタッチによって、分割部で終端部が対向して隣接する２つの検出用配線のうち、一方の検出用配線と指示体との間に静電容量が形成されたとき、形成された静電容量が、他方の検出用配線と指示体との間に形成された静電容量として検出されて偽の検出値となって現れることを防ぐことができる。したがって、複数の検出領域間の干渉を抑えることができるので、指示体によるタッチの発生の有無の誤判定を生じさせることなく、安定したタッチ座標算出結果を得ることができる。
【００１８】
また本発明のタッチパネルによれば、スイッチ回路は、分割部で分割部の延在方向に沿って隣接する２つの検出用配線を、異なるタイミングで選択するので、分割部で分割部の延在方向に沿って隣接する２つの検出用配線が、同時に選択されて静電容量が検出されることを防ぐことができる。これによって、タッチスクリーンへの指などの指示体のタッチによって、分割部で、分割部の延在方向に沿って隣接する２つの検出用配線のうち、一方の検出用配線と指示体との間に静電容量が形成されたとき、形成された静電容量が、他方の検出用配線と指示体との間に形成された静電容量として検出されて偽の検出値となって現れることを防ぐことができる。したがって、複数の検出領域間の干渉を抑えることができるので、指示体によるタッチの発生の有無の誤判定を生じさせることなく、安定したタッチ座標算出結果を得ることができる。
【００１９】
また本発明の表示装置によれば、前述の本発明のタッチパネルと表示パネルとを備えて表示装置が構成される。したがって、タッチパネルのタッチスクリーンの複数の検出領域間の干渉を抑え、タッチ発生有無の誤判定を生じさせることなく、安定したタッチ座標算出結果を得ることができるタッチパネル機能を有した表示装置を実現することができる。
【図面の簡単な説明】
【００２０】
【図１】本発明の第１の実施の形態であるタッチパネルにおけるタッチスクリーン１の構成を示す平面図である。
【図２】図１に示すタッチスクリーン１の一部の構成を示す斜視断面図である。
【図３】本発明の第１の実施の形態であるタッチパネル１００の全体構成を模式的に示す図である。
【図４】タッチスクリーン１および検出処理回路１９の構成を示すブロック図である。
【図５】図４に示す左列配線スイッチ回路Ｘ（Ｌ）２０ａ、左行配線スイッチ回路Ｙ（Ｌ）２１ａ、右列配線スイッチ回路Ｘ（Ｒ）２０ｂおよび右行配線スイッチ回路Ｙ（Ｒ）２１ｂの構成を示すブロック図である。
【図６】左検出領域ＤＬおよび右検出領域ＤＲにおける各検出動作を並行して行う場合の状況を模式的に示す図である。
【図７】タッチスクリーン１へのタッチ容量形成時における左検出領域ＤＬおよび右検出領域ＤＲの等価回路を示す等価回路図である。
【図８】本発明の第１の実施の形態のタッチパネルにおける行検出配線７のスキャン順序を模式的に示す図である。
【図９】本発明の第１の実施の形態におけるタッチスクリーン１へのタッチ容量形成時の左検出領域ＤＬおよび右検出領域ＤＲの等価回路を示す等価回路図である。
【図１０】本発明の第１の実施の形態における検出配線のスキャンシーケンスを示すタイミングチャートである。
【図１１】本発明の第１の実施の形態における検出配線のスキャンシーケンスを示すタイミングチャートである。
【図１２】タッチスクリーン１の左検出領域ＤＬおよび右検出領域ＤＲの分割部における列検出配線６ａ，６ｂ間のカップリング容量Ｃｃｘを説明するための図である。
【図１３】本発明の第２の実施の形態における左列配線スイッチ回路Ｘ（Ｌ）２０ａの構成を示す図である。
【図１４】本発明の第２の実施の形態における検出配線のスキャンシーケンスを示すタイミングチャートである。
【図１５】本発明の第２の実施の形態における検出配線のスキャンシーケンスを示すタイミングチャートである。
【図１６】本発明の第３の実施の形態における左列配線スイッチ回路Ｘ（Ｌ）２０ａの構成を示す図である。
【図１７】本発明の第３の実施の形態における右列配線スイッチ回路Ｘ（Ｒ）２０ｂの構成を示す図である。
【図１８】本発明の第３の実施の形態のタッチパネルにおける検出配線のスキャンシーケンスを示すタイミングチャートである。
【図１９】本発明の第３の実施の形態のタッチパネルにおける検出配線のスキャンシーケンスを示すタイミングチャートである。
【図２０】本発明の第４の実施の形態である液晶表示装置の構成を示す断面図である。
【図２１】本発明の前提技術であるタッチパネルに用いられる弛張発振回路に接続される静電容量と発振周期との関係の一例を示す特性図である。
【図２２】発振周期と検出時間との関係を示す図である。
【発明を実施するための形態】
【００２１】
＜前提技術＞
図２１は、本発明の前提技術であるタッチパネルに用いられる弛張発振回路に接続される静電容量と発振周期との関係の一例を示す特性図である。図２２は、発振周期と検出時間との関係を示す図である。
【００２２】
タッチパネルは、検出用配線が行列状に配置されたタッチスクリーンと、タッチスクリーンへの指示体の接触、すなわちタッチを検出する検出回路とを備えて構成される。検出用配線は、出力線およびマルチプレクサ回路を介して、検出回路である容量制御オシレータに接続される。
【００２３】
容量制御オシレータとしては、たとえば弛張発振回路を用いることができる。弛張発振回路の発振周期は、たとえば抵抗素子および容量素子の充放電による時定数に応じて決まる。弛張発振回路は、指などの指示体と、タッチスクリーンの検出用配線との間に形成される静電容量（以下「タッチ容量」という）の変化を発振周期の変化として検出する。
【００２４】
弛張発振回路に接続される静電容量と発振周期との関係は、図２２に示すようにリニアな特性となる。タッチ容量が生じたときの発振周期偏差を、所定の発振周期分、すなわち所定回数Ｎにわたって積算することによって、タッチ容量に対する検出値を得ることができる。このとき、タッチ容量Ｃｔが生じたときの発振周期偏差は、それ以外の静電容量、たとえば検出回路および検出配線が有する寄生容量がどのような値であっても一定である。
【００２５】
ところが、図２２に示すように、弛張発振回路の検出端に接続される静電容量が大きくなるにつれて、発振周期も大きくなる。したがって、寄生容量となる静電容量が大きくなると、これに伴ってタッチ容量に対して所望の検出値を得るために要する検出時間も、図２３に示すように大きくなってしまう。ひいては、タッチスクリーンに使用者の指などによるタッチが生じてから、タッチパネルからタッチ座標データが出力されるまでの応答時間も大きくなり、タッチに対する応答性が低下する。あるいは、所望の検出時間を満足するために、発振周期の積算回数を減らした場合には、タッチ容量に対する検出値の低下を招く。すなわち、タッチ容量に対する検出感度が低下して、検出値に基づいて算出されるタッチ座標データの精度を低下させる。
【００２６】
さて、弛張発振回路などの検出回路の検出端の寄生容量となる静電容量は、行列方向に設けられた検出配線の交差部であるクロス部の容量（以下「クロス部容量」という場合がある）、および検出配線と検出回路との接続を切替えるマルチプレクサ回路が有する寄生容量などから成る。
【００２７】
また検出配線の抵抗値もタッチ容量の検出感度に影響を与える。たとえば、行列方向に延びる検出配線の検出回路に近い部分、すなわちタッチスクリーンと検出回路との接続用端子側の部分をタッチした場合と、検出回路から遠い部分をタッチした場合とでは、タッチ容量の検出値が異なる。具体的には、タッチ容量と検出回路との間に、より大きな検出配線の抵抗が介在する後者の方、すなわち検出回路から遠い部分をタッチした場合の方が、同じタッチ容量が形成されたときであっても、検出回路によるタッチ容量の検出値が小さくなる。
【００２８】
このように、接続用端子側から反接続用端子側、すなわち接続用端子から遠い側にかけて、検出感度の低下が見られる。言い換えれば、タッチ位置によって検出感度偏差を生じることとなる。すなわち、検出感度および応答時間は、検出回路の検出端の寄生容量および検出配線抵抗に大きく左右される。このことは、弛張発振方式以外の他の検出方式を用いる場合であっても同様に当てはまる。
【００２９】
ところが、タッチ容量は、高々数ｐＦ程度しか形成されない。特に、タッチスクリーンの前面にガラス板などを設けて堅牢性を確保する場合には、さらにタッチ容量は低下していく。したがって、所望の検出値を得るための検出時間の増加とともに、応答時間も増加する。もしくは、所望の応答時間を満足するために検出値が低下する。そして、この検出値に基づいて算出されるタッチ座標データの精度が低下していく。
【００３０】
また検出回路の寄生容量として、検出配線と検出回路の検出端との接続を切替えるマルチプレクサ回路が有する寄生容量などは、タッチスクリーンの大型化に伴って検出配線数が増加する場合、検出配線数の増加に伴って増加していく。さらに、タッチスクリーンの裏面側に組合せて使用される表示装置からのノイズを低減するために、タッチスクリーンの検出配線の裏面側に静電シールド面を設けるように構成される場合は、検出配線の寄生容量も増加する。特にタッチスクリーンを大型化する場合は、検出配線の配線長の増加に伴って、検出配線の寄生容量は増大していく。
【００３１】
このように検出回路および検出配線の寄生容量、ならびに検出配線の抵抗は、タッチスクリーンにおけるタッチの検出時間および検出感度、ひいてはタッチパネルの応答性および座標精度に影響する。この影響は、タッチスクリーンが大型化するに従って顕著になるので、タッチスクリーンの大型化に対する問題となっている。
【００３２】
検出配線の抵抗の影響を抑えるために、たとえば行方向の検出配線を２分割し、配線抵抗を低減することが考えられる。このように２分割された構成のタッチスクリーンにおいて、検出時間を短縮するために、分割された各領域の検出配線を同時にスキャンして検出すると、各領域の検出系が干渉し、タッチの発生の有無の誤判定が生じるという問題がある。そこで、本発明では、以下の各実施の形態の構成を採用している。
【００３３】
＜第１の実施の形態＞
図１は、本発明の第１の実施の形態であるタッチパネルにおけるタッチスクリーン１の構成を示す平面図である。タッチスクリーン１は、複数の検出用列配線２と、複数の検出用行配線３とを備える。複数の検出用列配線２は、列方向、図１では紙面に向かって上下方向に延在し、かつ所定のピッチで行方向、図１では紙面に向かって左右方向に平行に配列されている。複数の検出用行配線３は、行方向に延在し、かつ所定のピッチで列方向に平行に配列されている。
【００３４】
本実施の形態では、複数、たとえば所定本数の検出用列配線２が、一端および他端で、図１では紙面に向かって上端および下端で、それぞれ列接続用配線４によって共通に電気的に接続され、一束の検出用列配線群６を構成している。同様に、複数、たとえば所定本数の検出用行配線３が、一端および他端で、図１では紙面に向かって左端および右端で、それぞれ行接続用配線５によって共通に電気的に接続され、一束の検出用行配線群７を構成している。したがって、各検出用列配線群６の検出用列配線２同士の間には、スリット状の開口部が形成されている。同様に、各検出用行配線群７の検出用行配線３同士の間には、スリット状の開口部が形成されている。
【００３５】
図１では、一束の検出用列配線群６は、５本の検出用列配線２を備えて構成され、一束の検出用行配線群７は、５本の検出用行配線３を備えて構成される。
【００３６】
タッチスクリーン１において、検出用行配線群７が延在する方向である行方向を「ｘ軸方向」と定義し、検出用列配線群６が延在する方向である列方向を「ｙ軸方向」と定義する。検出用行配線群７と検出用列配線群６とは互いに直交しており、ｘ軸方向とｙ軸方向とは互いに直交する。以下の説明において、行方向を「行方向ｘ」、列方向を「列方向ｙ」という場合がある。
【００３７】
本実施の形態では、複数、たとえば所定本数の検出用列配線群６が、行方向ｘに間隔をあけて平行に配列されている。また同様に、複数、たとえば所定本数の検出用行配線群７が、列方向ｙに間隔をあけて平行に配列されている。図１では、検出用列配線群６および検出用行配線群７（以下、検出用列配線群６および検出用行配線群７を総称して「検出用配線群」または「検出用束配線」という場合がある）の一部の図示を省略しているが、後述の通り、本実施の形態では、検出用配線群６，７の所定本数を各々８本としている。以下、各検出用配線群６，７を系統といい、検出用配線群６，７の所定本数を系統数という場合がある。すなわち、本実施の形態では、検出用配線群６，７を、行方向ｘおよび列方向ｙで、それぞれ８系統としている。
【００３８】
検出用配線群６，７は、引き出し配線８，９によって端子１０に接続されている。本実施の形態では、指示体がタッチスクリーン１にタッチしたときに、検出用配線群６，７を構成する検出用列配線２および検出用行配線３（以下、検出用列配線２および検出用行配線３を総称して「検出用配線」という場合がある）と指示体との間に、タッチ容量が形成される。検出用配線群６，７の本数およびその配線ピッチ、ならびに検出用配線群６，７を構成する検出用配線２，３の本数、配線幅および配線ピッチは、タッチパネルにおける指示体のタッチ位置、より詳細には、タッチ位置のタッチスクリーン１上における座標値（以下「タッチ座標値」という場合がある）の要求分解能から適宜に選択される。
【００３９】
ここで、複数本の検出用配線３，４によって構成される各検出用配線群６，７に代えて、配線内に開口のない、いわゆるベタ配線１本によって構成される配線を設けると、タッチ容量は大きく確保できる。しかし、表示パネルの前面にタッチパネルを配置して使用する場合には、ベタ配線が、表示パネルの表示に使用される光（以下「表示光」という場合がある）の透過を妨げる要因となってしまい、表示光の透過率を低下させてしまう。そこで、本実施の形態では、前述のように複数本の検出用配線２，３によって検出用配線群６，７を構成して、検出用配線２，３同士の間のスリット状開口部の面積を大きく設定することで、表示光の透過率の低下の抑制を図っている。ただし、表示光の透過率の低下という問題を甘受して、各検出用配線群６，７に代えて、１本の、いわゆるベタ配線で構成される配線を設ける変形例を適用してもよい。
【００４０】
図２は、図１に示すタッチスクリーン１の一部の構成を示す斜視断面図である。図２は、図１に示すタッチスクリーン１を、図１の紙面手前側から斜め方向に見た斜視図に相当し、タッチスクリーン１の厚み方向における層構成を示している。
【００４１】
タッチスクリーン１は、透光性を有する透明基板（以下「ベース基板」という）１２と、層間絶縁膜１３と、保護膜１４とを備える。ベース基板１２は、タッチスクリーン１の厚み方向一方側の表面を構成する層である。ベース基板１２は、より詳細には透光性および絶縁性を有しており、透明なガラスおよび透明な樹脂などの透光性を有する絶縁性材料から成る。本実施の形態では、ベース基板１２は、透明なガラスから成る。
【００４２】
ベース基板１２の厚み方向他方側の表面には、前述の複数の検出用列配線２が形成され、これらの検出用列配線２によって前述の検出用列配線群６が構成される。検出用列配線２は、導電性材料から成る導電膜で構成される。導電性材料としては、たとえば銅（Ｃｕ）およびアルミニウム（Ａｌ）などの金属配線材料、ＩＴＯなどの透光性を有する導電性材料（以下「透明配線材料」という場合がある）が挙げられる。本実施の形態では、導電性材料として透明配線材料が用いられ、検出用列配線２は、透明配線材料から成る透明配線で実現される。
【００４３】
ベース基板１２の厚み方向他方側、図２では紙面に向かってベース基板１２の下方には、検出用列配線２を被覆するように、透明な層間絶縁膜１３が形成される。層間絶縁膜１３は、透光性および絶縁性を有しており、窒化シリコン（ＳｉＮ）などの透光性を有する絶縁性材料から成る。層間絶縁膜１３の厚み方向他方側の表面には、前述の複数の検出用行配線３が形成され、これらの検出用行配線３によって前述の検出用行配線群７が構成される。検出用行配線３は、検出用列配線２と同様の導電膜から成る。本実施の形態では、検出用行配線３は、検出用列配線２と同様に透明配線で実現される。
【００４４】
本実施の形態とは異なるが、ベース基板１２の厚み方向における検出用列配線２および検出用行配線３の配設位置を逆にして、ベース基板１２の厚み方向他方側の表面に検出用行配線３を形成し、層間絶縁膜１３の厚み方向他方側の表面に検出用列配線２を形成するようにしてもよい。検出用配線２，３は、ＩＴＯなどの透明配線材料を用いた透明配線ではなく、アルミニウムなどの金属配線材料を用いた金属配線で実現されてもよい。この場合には、前述したように、複数本の検出用配線２，３によって検出用配線群６，７を構成して、検出用配線２，３同士の間のスリット状開口部の面積を大きく設定することで、表示光に対する透過率を確保することができる。
【００４５】
層間絶縁膜１３の厚み方向他方側、図２では紙面に向かって層間絶縁膜１３の下方には、検出用行配線３を被覆するように、透明な保護膜１４が形成される。保護膜１４は、透光性および絶縁性を有しており、層間絶縁膜１３と同様に、ＳｉＮなどの透光性を有する絶縁性材料から成る。
【００４６】
図３は、本発明の第１の実施の形態であるタッチパネル１００の全体構成を模式的に示す図である。タッチパネル１００は、前述の図１および図２に示すタッチスクリーン１と、フレキシブルプリント基板（Flexible Printed Circuit；略称：ＦＰＣ）１７と、コントローラ基板１８とを備える。
【００４７】
ＦＰＣ１７の一端部に設けられる端子は、タッチスクリーン１の前述の図１に示す端子１０に、異方性導電フィルム（Anisotropic Conductive Film；略称：ＡＣＦ）などを用いることによって実装される。タッチスクリーン１の端子１０は、図３では図示を省略している。ＦＰＣ１７の他端部に設けられる端子は、コントローラ基板１８に実装される。ＦＰＣ１７を介して、タッチスクリーン１の検出用配線群６，７の端部とコントローラ基板１８とが電気的に接続される。これによって、図３に示すパネルはタッチパネル１００として機能する。
【００４８】
コントローラ基板１８には、タッチ容量の検出結果に基づいて、指示体のタッチ位置、より詳細には、タッチ位置のタッチスクリーン１上における座標（以下「タッチ座標」という）の算出処理を行う検出処理回路１９が搭載されている。検出処理回路１９によって算出されたタッチ座標の値、すなわちタッチ座標値は、検出座標データとして、図示しない外部のコンピュータなどに出力される。
【００４９】
図４は、タッチスクリーン１および検出処理回路１９の構成を示すブロック図である。図５は、図４に示す左列配線スイッチ回路Ｘ（Ｌ）２０ａ、左行配線スイッチ回路Ｙ（Ｌ）２１ａ、右列配線スイッチ回路Ｘ（Ｒ）２０ｂおよび右行配線スイッチ回路Ｙ（Ｒ）２１ｂの構成を示すブロック図である。
【００５０】
本実施の形態のタッチスクリーン１は、長方形状であり、たとえば長手方向が行方向、すなわち図４の紙面に向かって左右方向に一致するように配置される。タッチスクリーン１では、実際には図４に示すように、寄生容量および検出配線抵抗の大きい検出用行配線群７が２分割されるように、検出領域を、行方向の一方側の領域と他方側の領域とに２分割している。すなわち図４では、検出領域を、紙面に向かって右側の領域と左方の領域とに２分割している。以下の説明では、行方向の一方側の領域である図４の紙面に向かって左側の検出領域を「左検出領域ＤＬ」といい、行方向の他方側の領域である図４の紙面に向かって右側の検出領域を「右検出領域ＤＲ」という。また以下の説明では、検出用列配線群６を単に「列検出配線」といい、検出用行配線群７を単に「行検出配線」という場合がある。また列検出配線６および行検出配線７を総称して、「検出配線」という場合がある。
【００５１】
本実施の形態では、左検出領域ＤＬにおけるタッチ検出のための検出用列配線群６を４本、すなわち４系統、具体的には図４に示す第１〜第４左検出用列配線群ＷｘＬ（１）〜ＷｘＬ（４）で構成し、検出用行配線群７を６本、すなわち６系統、具体的には図４に示す第１〜第６左検出用行配線群ＷｙＬ（１）〜ＷｙＬ（６）で構成する。以下の説明では、第１〜第４左検出用列配線群ＷｘＬ（１）〜ＷｘＬ（４）を総称して「左検出用列配線群６ａ」または「左列検出配線６ａ」という場合があり、第１〜第６左検出用行配線群ＷｙＬ（１）〜ＷｙＬ（６）を総称して「左検出用行配線群７ａ」または「左行検出配線７ａ」という場合がある。
【００５２】
また、右検出領域ＤＲにおけるタッチ検出のための検出用列配線群６を４本、すなわち４系統、具体的には図４に示す第１〜第４右検出用列配線群ＷｘＲ（１）〜ＷｘＲ（４）で構成し、検出用行配線群７を６本、すなわち４系統、具体的には図４に示す第１〜第６右検出用行配線群ＷｙＲ（１）〜ＷｙＲ（６）で構成する。以下の説明では、第１〜第４右検出用列配線群ＷｘＲ（１）〜ＷｘＲ（４）を総称して「右検出用列配線群６ｂ」または「右列検出配線６ｂ」という場合があり、第１〜第６右検出用行配線群ＷｙＲ（１）〜ＷｙＲ（６）を総称して「右検出用行配線群７ｂ」または「右行検出配線７ｂ」という場合がある。
【００５３】
本実施の形態では、理解を容易にするために、左検出領域ＤＬの検出用列配線群６の本数を４本とし、右検出領域ＤＲの検出用行配線群７の本数を６本として説明するが、たとえば配線群のピッチを、指によるタッチサイズを勘案して、たとえば７ｍｍ程度とする場合、スクリーンサイズが対角７インチ以上となると、配線群の本数は、左検出領域ＤＬおよび右検出領域ＤＲでそれぞれ１０本を超える本数となる。
【００５４】
前述の図３に示す検出処理回路１９は、図４に示すように、左列配線スイッチ回路Ｘ（Ｌ）２０ａ、左行配線スイッチ回路Ｙ（Ｌ）２１ａ、右列配線スイッチ回路Ｘ（Ｒ）２０ｂ、右行配線スイッチ回路Ｙ（Ｒ）２１ｂ、左側静電容量検出回路（Ｌ）２２ａ、右側静電容量検出回路（Ｒ）２２ｂ、タッチ座標算出回路２３、検出制御回路２４、左側バッファ回路２５ａおよび右側バッファ回路２５ｂを備えて構成される。
【００５５】
タッチスクリーン１の左検出領域ＤＬにおいて、各左列検出配線ＷｘＬ（１）〜ＷｘＬ（４）は左列配線スイッチ回路Ｘ（Ｌ）２０ａに接続され、各左行検出配線ＷｙＬ（１）〜ＷｙＬ（６）は左行配線スイッチ回路Ｙ（Ｌ）２１ａに接続される。タッチスクリーン１の右検出領域ＤＲにおいて、各右列検出配線ＷｘＲ（１）〜ＷｘＲ（４）は右列配線スイッチ回路Ｘ（Ｒ）２０ｂに接続され、各右行検出配線ＷｙＲ（１）〜ＷｙＲ（６）は右行配線スイッチ回路Ｙ（Ｒ）２１ｂに接続される。
【００５６】
左列配線スイッチ回路Ｘ（Ｌ）２０ａおよび左行配線スイッチ回路Ｙ（Ｌ）２１ａは、左側静電容量検出回路（Ｌ）２２ａおよび左側バッファ回路２５ａに接続される。右列配線スイッチ回路Ｘ（Ｒ）２０ｂおよび右行配線スイッチ回路Ｙ（Ｒ）２１ｂは、右側静電容量検出回路（Ｒ）２２ｂおよび右側バッファ回路２５ｂに接続される。左側バッファ回路２５ａは、左列配線スイッチ回路Ｘ（Ｌ）２０ａおよび左行配線スイッチ回路Ｙ（Ｌ）２１ａに接続される。右側バッファ回路２５ｂは、右列配線スイッチ回路Ｘ（Ｒ）２０ｂおよび右行配線スイッチ回路Ｙ（Ｒ）２１ｂに接続される。左側静電容量検出回路（Ｌ）２２ａおよび右側静電容量検出回路（Ｒ）２２ｂは、タッチ座標算出回路２３に接続される。検出制御回路２４は、左列配線スイッチ回路Ｘ（Ｌ）２０ａおよび左行配線スイッチ回路Ｙ（Ｌ）２１ａ、右列配線スイッチ回路Ｘ（Ｒ）２０ｂ、右行配線スイッチ回路Ｙ（Ｒ）２１ｂ、左側静電容量検出回路（Ｌ）２２ａ、右側静電容量検出回路（Ｒ）２２ｂ、およびタッチ座標算出回路２３に接続される。
【００５７】
左列配線スイッチ回路Ｘ（Ｌ）２０ａは、図５に示すように、セレクタ回路２７を備える。セレクタ回路２７は、２対１に接続を切替えるスイッチ回路である。以下では、セレクタ回路２７のように、２対１に接続を切替えるスイッチ回路を「２対１セレクタ回路」という場合がある。左列配線スイッチ回路Ｘ（Ｌ）２０ａにおいて、セレクタ回路２７は、左列検出配線６ａ、すなわち第１〜第ｍ左検出用列配線群ＷｘＬ１〜ＷｘＬｍの接続先を、検出用列配線群６毎に、左側静電容量検出回路（Ｌ）２２ａに接続される第１端子ａ側か、または左側バッファ回路２５ａに接続される第２端子ｂ側に切替える。
【００５８】
左行配線スイッチ回路Ｙ（Ｌ）２１ａ、右列配線スイッチ回路Ｘ（Ｒ）２０ｂおよび右行配線スイッチ回路Ｙ（Ｒ）２１ｂは、図５に示す左列配線スイッチ回路Ｘ（Ｌ）２０ａと同様の構成であり、それぞれセレクタ回路２７を備える。
【００５９】
左検出領域ＤＬの左列検出配線６ａおよび左行検出配線７ａは、それと対応した左列配線スイッチ回路Ｘ（Ｌ）２０ａおよび左行配線スイッチ回路Ｙ（Ｌ）２１ａのセレクタ回路２７によって、後段の左側静電容量検出回路（Ｌ）２２ａの検出端（以下「検出ノード」という場合がある）との接続、または左側バッファ回路２５ａの出力端との接続に、接続が切替えられる。また、右検出領域ＤＲの右列検出配線６ｂおよび右行検出配線７ｂは、それと対応した右列配線スイッチ回路Ｘ（Ｒ）２０ｂおよび右行配線スイッチ回路Ｙ（Ｒ）２１ｂのセレクタ回路２７によって、後段の右側静電容量検出回路（Ｒ）２２ｂの検出端との接続、または右側バッファ回路２５ｂの出力端との接続に、接続が切替えられる。
【００６０】
本実施の形態では、左列配線スイッチ回路Ｘ（Ｌ）２０ａおよび左行配線スイッチ回路Ｙ（Ｌ）２１ａのセレクタ回路２７は、検出制御回路２４から与えられる制御信号の指示に応じて、その接続を選択する。具体的には、左検出領域ＤＬの左列検出配線６ａおよび左行検出配線７ａの中から１検出配線ずつ、左側静電容量検出回路（Ｌ）２２ａとの接続を順次切替える。すなわち、左側静電容量回路（Ｌ）２２ａとの接続が選択された１つの検出配線が、選択検出配線として検出対象となり、それ以外の検出配線、すなわち左側静電容量回路（Ｌ）２２ａとの接続が選択されていない検出配線（以下「非選択検出配線」という場合がある）は、左側バッファ回路２５ａの出力端に接続される。
【００６１】
同様に、右列配線スイッチ回路Ｘ（Ｒ）２０ｂおよび右行配線スイッチ回路Ｙ（Ｒ）２１ｂのセレクタ回路２７は、検出制御回路２４から与えられる制御信号の指示に応じて、その接続を選択する。具体的には、右検出領域ＤＲの右列検出配線６ｂおよび右行検出配線７ｂの中から１検出配線ずつ、右側静電容量検出回路（Ｒ）２２ｂとの接続を順次切替える。すなわち、右側静電容量回路（Ｒ）２２ｂとの接続が選択された１つの検出配線が、選択検出配線として検出対象となり、それ以外の検出配線、すなわち右側静電容量回路（Ｒ）２２ｂとの接続が選択されていない非選択検出配線は、右側バッファ回路２５ｂの出力端に接続される。
【００６２】
左側静電容量検出回路（Ｌ）２２ａの検出端には、左側バッファ回路２５ａの入力端が接続され、右側静電容量検出回路（Ｒ）２２ｂの検出端には、右側バッファ回路２５ｂの入力端が接続される。ここで、たとえば、静電容量検出回路として、測定する静電容量を含んだ形でＲＣ回路を構成し、その時定数の変化を発振周期の変化として検出する弛張発振器を用いる場合が考えられる。この場合、抵抗素子と容量素子との接続点が検出端となる。また定電流を容量素子へ充電する時間を発振周期とする場合には、定電流源と容量素子との接続点が検出端となる。
【００６３】
つまり、非選択検出配線には、左列配線スイッチ回路Ｘ（Ｌ）２０ａ、左行配線スイッチ回路Ｙ（Ｌ）２１ａ、右列配線スイッチ回路Ｘ（Ｒ）２０ｂおよび右行配線スイッチ回路Ｙ（Ｒ）２１ｂによって、左側および右側静電容量検出回路２２ａ，２２ｂの検出端の電圧が、左側および右側バッファ回路２５ａ，２５ｂを介してバッファされた電圧として印加される。図４では、左側および右側静電容量検出回路２２ａ，２２ｂの具体的な構成は特に図示しないが、発振回路の後段に計数回路を設け、接続される容量素子の大きさに応じて発振周期が変化する発振信号を所定回数積算し、この時間を計測することで静電容量検出値を得るように構成することができる。
【００６４】
左側静電容量検出回路（Ｌ）２２ａおよび右側静電容量検出回路（Ｒ）２２ｂから出力される各検出配線に対応した静電容量の検出結果は、後段のタッチ座標算出回路２３に与えられる。タッチ座標算出回路２３は、左側静電容量検出回路（Ｌ）２２ａおよび右側静電容量検出回路（Ｒ）２２ｂから与えられる静電容量の検出結果に基づいて、指示体のタッチスクリーン１上におけるタッチ位置の座標値であるタッチ座標値を算出する。タッチ座標算出回路２３によって算出されたタッチ座標値は、検出座標データとして、検出処理回路１９の外部のコンピュータなどに出力される。ここで、タッチ座標の算出には、たとえば、所定の閾値を超える検出値となる検出配線がある場合に、指などの指示体によるタッチがあると判定し、これと隣接する検出配線の検出値も用いて、検出配線の間の座標を補間演算して求める。
【００６５】
以上のように本実施の形態のタッチスクリーン１の検出領域は、左検出領域ＤＬおよび右検出領域ＤＲに分割されている。そして、左検出領域ＤＬに含まれる左列検出配線６ａおよび左行検出配線７ａは、左側静電容量検出回路（Ｌ）２２ａとの接続を順次、それぞれ左列配線スイッチ回路Ｘ（Ｌ）２０ａおよび左行配線スイッチ回路Ｙ（Ｌ）２１ａによって切替えて選択し、検出配線と指などの指示体との間に形成される静電容量を検出する。そして、非選択検出配線には、左側バッファ回路２５ａを介して、左側静電容量検出回路（Ｌ）２２ａの検出端の検出電圧がバッファリングされて印加される。
【００６６】
また、右検出領域ＤＲに含まれる右列検出配線６ｂおよび右行検出配線７ｂは、右側静電容量検出回路（Ｒ）２２ｂとの接続を順次、それぞれ右列配線スイッチ回路Ｘ（Ｒ）２０ｂおよび右行配線スイッチ回路Ｙ（Ｒ）２１ｂによって切替えて選択し、検出配線と指などの指示体との間に形成される静電容量を検出する。そして、非選択検出配線には、右側バッファ回路２５ｂを介して、右側静電容量検出回路（Ｒ）２２ｂの検出端の検出電圧がバッファリングされて印加される。
【００６７】
このような構成において、左検出領域ＤＬおよび右検出領域ＤＲにそれぞれ対応する検出配線に形成される静電容量を並行して検出することによって、検出時間の短縮化を図ることができる。また、検出領域を左検出領域ＤＬおよび右検出領域ＤＲに分割することによって、配線長さが１／２となる行検出配線７の寄生容量が概ね１／２となるので、これらを検出するときの検出時間もそれに応じて短縮される。また、それらの抵抗値も小さくなるので、検出感度の観点からも、検出領域を分割しない場合よりも有利である。
【００６８】
図６は、左検出領域ＤＬおよび右検出領域ＤＲにおける各検出動作を並行して行う場合の状況を模式的に示す図である。図６では、たとえば左検出領域ＤＬの第３左列検出配線ＷｘＬ（３）と第３左行検出配線ＷｙＬ（３）との交差部分の中央部付近に、指示体のタッチによってタッチ領域Ｔが生じた場合を示している。図６では、タッチ領域Ｔにおける静電容量の検出値を、左端のグラフにおいて、白丸（○）で示している。
【００６９】
図６に示すように、左検出領域ＤＬに対応する第１〜第６左行検出配線ＷｙＬ（１）〜ＷｙＬ（６）と右検出領域ＤＲに対応する第１〜第６右行検出配線ＷｙＲ（１）〜ＷｙＲ（６）との間には、それぞれ分割部において結合容量（以下「カップリング容量」という場合がある）Ｃｃｙが生じる。分割部が使用者によって視認されないように、分割部の幅はできるだけ小さくすることが望ましい。ところが、分割部の幅を小さくするほど、カップリング容量Ｃｃｙは大きくなる傾向を示す。
【００７０】
図６では、左検出領域ＤＬに対応する第１〜第６左行検出配線ＷｙＬ（１）〜ＷｙＬ（６）の走査（以下「スキャン」という場合がある）と、右検出領域ＤＲに対応する第１〜第６右行検出配線ＷｙＲ（１）〜ＷｙＲ（６）のスキャンとが、分割部で対向する行検出配線７ａ，７ｂで順次並行して行われる場合を示している。具体的には、任意の各行検出配線７ａ，７ｂ、たとえば第ｊ（ｊは自然数）番目の左行検出配線ＷｙＬ（ｊ）と第ｊ番目の右行検出配線ＷｙＲ（ｊ）とが、順次並行してスキャンされる。以下、第ｊ番目の左行検出配線を「第ｊ左行検出配線」といい、第ｊ番目の右行検出配線を「第ｊ右行検出配線」という場合がある。
【００７１】
たとえば左検出領域ＤＬの行検出配線は、第１左行検出配線ＷｙＬ（１）、第２左行検出配線ＷｙＬ（２）、・・・、第５左行検出配線ＷｙＬ（５）、第６左行検出配線ＷｙＬ（６）の順でスキャンされる。他方、右検出領域ＤＲの行検出配線は、左検出領域ＤＬの行検出配線７ｂと同様に、第１右行検出配線ＷｙＲ（１）、第２右行検出配線ＷｙＲ（２）、・・・、第５右行検出配線ＷｙＲ（５）、第６右行検出配線ＷｙＲ（６）の順でスキャンされる。
【００７２】
このように左検出領域ＤＬおよび右検出領域ＤＲを並行して順次スキャンしていく場合、左側静電容量検出回路（Ｌ）２２ａによって検出される左検出領域ＤＬの第３左行検出配線ＷｙＬ（３）とタッチ領域Ｔとの間で形成される静電容量の検出値が、並行してスキャンされる右検出領域ＤＲの第３右行検出配線ＷｙＲ（３）の静電容量の検出値（以下「偽検出値」という場合がある）ＦＶとしても現れる。
【００７３】
図７は、タッチスクリーン１へのタッチ容量形成時における左検出領域ＤＬおよび右検出領域ＤＲの等価回路を示す等価回路図である。図７に示すように、たとえば左検出領域ＤＬの第ｊ左行検出配線ＷｙＬ（ｊ）に、指示体のタッチによってタッチ領域Ｔが発生すると、第ｊ左行検出配線ＷｙＬ（ｊ）は、タッチ領域Ｔを挟んで、２つの抵抗素子Ｒｗａ，Ｒｗｂ、すなわち第１抵抗素子Ｒｗａおよび第２抵抗素子Ｒｗｂを備えることになる。このとき、タッチ領域Ｔと第ｊ左行検出配線ＷｙＬ（ｊ）との間に静電容量（以下「タッチ容量」という場合がある）Ｃｔが形成される。そして、第ｊ左行検出配線ＷｙＬ（ｊ）がスキャンされるとき、第１抵抗素子Ｒｗａが、左行配線スイッチ回路Ｙ（Ｌ）２１ａの対応するセレクタ回路２７を介して、左側静電容量検出回路（Ｌ）２２ａの検出端２６ａに接続される。
【００７４】
また右検出領域ＤＲの第ｊ右行検出配線ＷｙＲ（ｊ）は、１つの抵抗素子（以下「第３抵抗素子」という場合がある）Ｒｗを備えることになる。第ｊ右行検出配線ＷｙＲ（ｊ）は、第ｊ左行検出配線ＷｙＬ（ｊ）と並行してスキャンされて、第３抵抗素子Ｒｗが、右行配線スイッチ回路Ｙ（Ｒ）の対応するセレクタ回路２７を介して、右側静電容量検出回路（Ｒ）２２ｂの検出端２６ｂに接続される。左検出領域ＤＬの第ｊ左行検出配線ＷｙＬ（ｊ）と、右検出領域ＤＲの第ｊ右行検出配線ＷｙＲ（ｊ）とは、第２抵抗素子Ｒｗｂと第３抵抗素子Ｒｗとの間に形成されるカップリング容量Ｃｃｙを介して接続される。図７では、理解を容易にするために、左側および右側バッファ回路２５ａ，２５ｂの図示を省略している。
【００７５】
図７に示すように、タッチ容量Ｃｔは、左検出領域ＤＬの第ｊ左行検出配線ＷｙＬ（ｊ）と、それと並行してスキャンされる右検出領域ＤＲの第ｊ右行検出配線ＷｙＲ（ｊ）との間のカップリング容量Ｃｃｙを介して、あたかも第ｊ右行検出配線ＷｙＲ（ｊ）にも形成されるように見えてしまう。これが右行配線スイッチ回路Ｙ（Ｒ）２１ｂの対応するセレクタ回路２７を介して、右側静電容量検出回路（Ｒ）２２ｂによって検出されて、前述の図６に示すように偽検出値ＦＶを生じさせる。
【００７６】
このように、右検出領域ＤＲの第ｊ右行検出配線ＷｙＲ（ｊ）を介して検出されるタッチ容量は、左検出領域ＤＬに形成された本来のタッチ容量Ｃｔと、カップリング容量Ｃｃｙとの直列合成容量となる。したがって、タッチ容量Ｃｔに対してカップリング容量Ｃｃｙが極めて小さければ、直列合成容量は、ほぼカップリング容量Ｃｃｙと等しくなるだけである。ところが、本来のタッチ容量Ｃｔに対してカップリング容量Ｃｃｙの大きさが無視できなくなると、直列合成容量はタッチ容量Ｃｔに近づいていく。
【００７７】
タッチスクリーン１のベース基板１２を構成するガラス基板の厚みを大きくしたり、タッチスクリーン１の前面にさらに保護ガラスを配置したりすることで、タッチスクリーン１の堅牢性を確保する場合には、指示体と検出配線との距離が大きくなり、タッチ容量Ｃｔが小さくなる。このようにタッチ容量Ｃｔが小さくなるような場合、タッチ容量Ｃｔに対するカップリング容量Ｃｃｙが無視できない状況となる。
【００７８】
このように、左検出領域ＤＬおよび右検出領域ＤＲの分割部で対向して隣接する左行検出配線７ａと右行検出配線７ｂとを並行して検出する場合、左右いずれか一方の検出領域の行検出配線７にタッチ容量Ｃｔが形成された場合でも、あたかも他方の検出領域の行検出配線７にもタッチ容量Ｃｔが形成されたような偽検出値が現れる。このことは、換言すると、左右の検出系、すなわち左行検出配線７ａおよび右行検出配線７ｂのうちの一方には、他方から、左右の検出配線のカップリング容量Ｃｃｙを介して、クロストークが発生するということもできる。このように、左検出領域ＤＬおよび右検出領域ＤＲに対応する検出系を並行して検出動作を行うと、検出系の干渉が発生する。
【００７９】
このような検出結果を用いて、図４に示すように、左静電容量検出回路（Ｌ）２２ａおよび右静電容量検出回路（Ｒ）２２ｂの後段のタッチ座標算出回路２３によってタッチ座標値を算出すると、前述の偽検出値が、タッチの発生の有無の誤判定を生じさせる可能性がある。たとえば、誤判定の一例としては、偽検出値が現れる検出領域にも別のタッチが発生した場合、それに応じたタッチ容量Ｃｔの検出値と偽検出値とのどちらが正しいかの判定が困難となったり、当該検出領域で偽検出値に対応する位置に更にもう１点のタッチが発生しているかのように判定されてしまったりする。したがって、偽検出値が発生することは望ましくない。そこで、本実施の形態では、以下のような構成にしている。
【００８０】
図８は、本発明の第１の実施の形態のタッチパネルにおける行検出配線７のスキャン順序を模式的に示す図である。図８では、図６と同様に、左検出領域ＤＬの第３左列検出配線ＷｘＬ（３）と第３左行検出配線ＷｙＬ（３）との交差部分の中央部付近に、指示体のタッチによってタッチ領域Ｔが生じた場合を示している。本実施の形態では、図８に示すように、左検出領域ＤＬの行検出配線７ａのスキャン順序と、右検出領域ＤＲの行検出配線７ｂのスキャン順序とをずらす。すなわち、スキャンをオフセットさせる。図８では、たとえば、左検出領域ＤＬの行検出配線７ａは、第１左行検出配線ＷｙＬ（１）、第２左行検出配線ＷｙＬ（２）、・・・、第５左行検出配線Ｗｙ（５）、第６左行検出配線ＷｙＬ（６）の順にスキャンする。他方、右検出領域ＤＲの行検出配線７ｂは、第４右行検出配線ＷｙＲ（４）、第５右行検出配線ＷｙＲ（５）、第６右行検出配線ＷｙＲ（６）、第１右行検出配線ＷｙＲ（１）、第２右行検出配線ＷｙＲ（２）、第３右行検出配線ＷｙＲ（３）の順にスキャンする。
【００８１】
このように本実施の形態では、スキャン順序をずらすことによって、左検出領域ＤＬおよび右検出領域ＤＲの分割部で対向して隣接する２つの行検出配線７ａ，７ｂ、たとえば第ｊ左行検出配線ＷｙＬ（ｊ）および第ｊ右行検出配線ＷｙＲ（ｊ）を異なるタイミングでセレクタ回路２７が選択するようにする。つまり、分割部で対向して隣接する２つの行検出配線７ａ，７ｂによる静電容量が同時に並行して検出されないようにする。これによって、図６に示す場合とは異なり、図８に示すように、右検出領域ＤＲに偽検出値が現れないようにすることができる。つまり、本実施の形態では、偽検出値が現れることを防ぐことができるので、タッチの発生の有無の誤判定を防ぐことができる。
【００８２】
行検出配線７の左検出領域ＤＬにおけるスキャン順序と右検出領域ＤＲにおけるスキャン順序とのずれ量を「スキャンオフセット量」という。たとえば図８に示す例では、行検出配線７における右検出領域ＤＲの左検出領域ＤＬに対するスキャンオフセット量は「３」である。このスキャンオフセット量は一例であり、これに限定されない。
【００８３】
図９は、本発明の第１の実施の形態におけるタッチスクリーン１へのタッチ容量形成時の左検出領域ＤＬおよび右検出領域ＤＲの等価回路を示す等価回路図である。前述の図７に示した場合と同様に、たとえば左検出領域ＤＬの第ｊ左行検出配線ＷｙＬ（ｊ）にタッチ領域Ｔが発生すると、第ｊ左行検出配線ＷｙＬ（ｊ）は、タッチ領域Ｔを挟んで、２つの抵抗素子Ｒｗａ，Ｒｗｂ、すなわち第１抵抗素子Ｒｗａおよび第２抵抗素子Ｒｗｂを備えることになる。このとき、タッチ領域Ｔと第ｊ左行検出配線ＷｙＬ（ｊ）との間に静電容量、すなわちタッチ容量Ｃｔが形成される。そして、第ｊ左行検出配線ＷｙＬ（ｊ）がスキャンされるとき、第１抵抗素子Ｒｗａが、左行配線スイッチ回路Ｙ（Ｌ）２１ａの対応するセレクタ回路２７を介して、左側静電容量検出回路（Ｌ）２２ａの検出端２６ａに接続される。
【００８４】
左検出領域ＤＬの第ｋ（ｋは自然数）番目の左行検出配線（以下「第ｋ左行検出配線」という場合がある）ＷｙＬ（ｋ）は、１つの抵抗素子（以下「第４抵抗素子」という場合がある）Ｒｗを備えることになる。第ｋ左行検出配線ＷｙＬ（ｋ）がスキャンされるとき、第４抵抗素子Ｒｗが、左行配線スイッチ回路Ｙ（Ｌ）２１ａの対応するセレクタ回路２７を介して、左側静電容量検出回路（Ｌ）２２ａの検出端２６ａに接続される。
【００８５】
右検出領域ＤＲの第ｊ右行検出配線ＷｙＲ（ｊ）は、図７に示した場合と同様に、１つの抵抗素子、すなわち第３抵抗素子Ｒｗを備える。第ｊ右行検出配線ＷｙＲ（ｊ）がスキャンされるとき、第３抵抗素子Ｒｗが、右行配線スイッチ回路Ｙ（Ｒ）の対応するセレクタ回路２７を介して、右側静電容量検出回路（Ｒ）２２ｂの検出端２６ｂに接続される。
【００８６】
右検出領域ＤＲの第ｋ（ｋは自然数）番目の右行検出配線（以下「第ｋ右行検出配線」という場合がある）ＷｙＲ（ｋ）は、１つの抵抗素子（以下「第５抵抗素子」という場合がある）Ｒｗを備える。第ｋ右行検出配線ＷｙＲ（ｋ）がスキャンされるとき、第５抵抗素子Ｒｗが、右行配線スイッチ回路Ｙ（Ｒ）２１ｂの対応するセレクタ回路２７を介して、右側静電容量検出回路（Ｒ）２２ｂの検出端２６ｂに接続される。
【００８７】
左検出領域ＤＬの第ｊ左行検出配線ＷｙＬ（ｊ）と、右検出領域ＤＲの第ｊ右行検出配線ＷｙＲ（ｊ）とは、第２抵抗素子Ｒｗｂと第３抵抗素子Ｒｗとの間に形成されるカップリング容量Ｃｃｙを介して接続される。また左検出領域ＤＬの第ｋ左行検出配線ＷｙＬ（ｋ）と、右検出領域ＤＲの第ｋ右行検出配線ＷｙＲ（ｋ）とは、第４抵抗素子Ｒｗと第５抵抗素子Ｒｗとの間に形成されるカップリング容量Ｃｃｙを介して接続される。
【００８８】
本実施の形態では、たとえば図９に示すように、左検出領域ＤＬの第ｊ左行検出配線ＷｙＬ（ｊ）がスキャンされるときに、右検出領域ＤＲの第ｋ右行検出配線ＷｙＲ（ｋ）がスキャンされる。このとき、第ｋ右行検出配線ＷｙＲ（ｋ）の第５抵抗素子Ｒｗは、右行配線スイッチ回路Ｙ（Ｒ）２１ｂの対応するセレクタ回路２７を介して、右側静電容量検出回路（Ｒ）２２ｂの検出端２６ｂに接続される。
【００８９】
他方、左検出領域ＤＬの第ｊ左行検出配線ＷｙＬ（ｊ）がスキャンされるとき、左検出領域ＤＬおよび右検出領域ＤＲの分割部で対向して隣接する右検出領域ＤＲの第ｊ右行検出配線ＷｙＲ（ｊ）には、右側静電容量検出回路（Ｒ）２２ｂの検出端２６ｂの検出電圧が右側バッファ回路２５ｂ、および右行配線スイッチ回路Ｙ（Ｒ）２１ｂの対応するセレクタ回路２７を介して印加される。
【００９０】
同様に、左検出領域ＤＬの第ｊ左行検出配線ＷｙＬ（ｊ）と並行して右検出領域ＤＲの第ｊ右行検出配線ＷｙＲ（ｊ）がスキャンされるとき、左検出領域ＤＬの第ｊ左行検出配線ＷｙＬ（ｊ）には、左側静電容量検出回路（Ｌ）２２ａの検出端２６ａの検出電圧が左側バッファ回路２５ａ、左行配線スイッチ回路Ｙ（Ｌ）２１ａの対応するセレクタ回路２７を介して印加される。
【００９１】
図１０および図１１は、本発明の第１の実施の形態における検出配線のスキャンシーケンスを示すタイミングチャートである。図１０は、左検出領域ＤＬにおける検出配線のスキャンシーケンスを示すタイミングチャートであり、図１１は、右検出領域ＤＲにおける検出配線のスキャンシーケンスを示すタイミングチャートである。
【００９２】
本実施の形態では、図１０に示すように、左行配線スイッチ回路Ｙ（Ｌ）２１ａによって、左検出領域ＤＬの左行検出配線７ａが、第１左行検出配線ＷｙＬ（１）、第２左行検出配線ＷｙＬ（２）、・・・、第５左行検出配線ＷｙＬ（５）、第６左行検出配線ＷｙＬ（６）の順にスキャンされ、検出対象として左側静電容量検出回路（Ｌ）２２ａに接続され、静電容量が検出される。
【００９３】
これと並行して右検出領域ＤＲの右行検出配線７ｂがスキャンされる。このとき、図１１に示すように、右検出領域ＤＲの右行検出配線７ｂは、左検出領域ＤＬとはオフセットして、第４右行検出配線ＷｙＲ（４）、第５右行検出配線ＷｙＲ（５）、・・・、第２右行検出配線ＷｙＲ（２）、第３右行検出配線ＷｙＲ（３）の順にスキャンされ、検出対象として右側静電容量検出回路（Ｒ）２２ｂに接続され、静電容量が検出される。
【００９４】
このようにして、左右の検出領域ＤＬ，ＤＲの行検出配線７ａ，７ｂを並行してスキャンおよび検出した後、左右の検出領域ＤＬ，ＤＲの列検出配線６ａ，６ｂを並行してスキャンおよび検出する動作に移行する。
【００９５】
図１２は、タッチスクリーン１の左検出領域ＤＬおよび右検出領域ＤＲの分割部における列検出配線６ａ，６ｂ間のカップリング容量Ｃｃｘを説明するための図である。左検出領域ＤＬに対応する第１〜第６左行検出配線ＷｙＬ（１）〜ＷｙＬ（６）と、右検出領域ＤＲに対応する第１〜第６右行検出配線ＷｙＲ（１）〜ＷｙＲ（６）との間には、前述の図６に示すように、それぞれの分割部においてカップリング容量Ｃｃｙが生じる。同様に、列検出配線６ａ，６ｂにおいても、図１２に示すように、分割部において、分割部の延在方向である長手方向に沿って隣接する、すなわち分割部で対向して隣接する列検出配線６ａ，６ｂ間に、カップリング（結合）容量Ｃｃｘが生じる。本実施の形態では、第４左列検出配線ＷｘＬ（４）と、第１右列検出配線ＷｘＲ（１）との間に、カップリング容量Ｃｃｘが生じる。
【００９６】
図１２に示すように、たとえば第４左列検出配線ＷｘＬ（４）と第３左行検出配線ＷｙＬ（３）との交差部分の中央部付近に、指示体のタッチによってタッチ領域Ｔが生じると、タッチ領域Ｔと第４左列検出配線ＷｘＬ（４）との間に静電容量であるタッチ容量が形成される。この状態で、左列配線スイッチ回路Ｘ（Ｌ）２０ａおよび右列配線スイッチ回路Ｘ（Ｒ）２０ｂによって、左検出領域ＤＬおよび右検出領域ＤＲの列検出配線６ａ，６ｂをスキャンする場合を考える。この場合に、たとえば左検出領域ＤＬの第４左列検出配線ＷｘＬ（４）と右検出領域ＤＲの第１右列検出配線ＷｘＲ（１）とを並行して同時に検出対象として選択し、それぞれ左側静電容量検出回路（Ｌ）２２ａおよび右側静電容量検出回路（Ｒ）２２ｂによって検出する。このとき、第４左列検出配線ＷｘＬ（４）に生じたタッチ容量が、第１右列検出配線ＷｘＲ（１）を選択して検出する場合にも見えてしまい、右側静電容量検出回路（Ｒ）２０ｂに偽検出値が生じてしまう。
【００９７】
そこで本実施の形態では、左検出領域ＤＬおよび右検出領域ＤＲの分割部で対向して隣接する２つの列検出用配線、すなわち第４左列検出配線ＷｘＬ（４）と第１右列検出配線ＷｘＲ（１）とを、異なるタイミングでセレクタ回路２７が選択するようにする。つまり、分割部で対向して隣接する２つの行検出配線７ａ，７ｂが並行して同時に選択して検出することがないように、スキャンを行う。本実施の形態では、前述の図１０に示すように、左列配線スイッチ回路Ｘ（Ｌ）２０ａによって左検出領域ＤＬの列検出配線６ａが、第１左列検出配線ＷｘＬ（１）、第２左列検出配線ＷｘＬ（２）、第３左列検出配線ＷｘＬ（３）、第４左列検出配線ＷｘＬ（４）の順にスキャンされて選択される。これと並行して、前述の図１１に示すように、右検出領域ＤＲの列検出配線６ｂが、第１右列検出配線ＷｘＲ（１）、第２右列検出配線ＷｘＲ（２）、第３右列検出配線ＷｘＲ（３）、第４右列検出配線ＷｘＲ（４）の順にスキャンされる。
【００９８】
このようにして、第４左列検出配線ＷｘＬ（４）と第１右列検出配線ＷｘＲ（１）とが同時に選択されないようにしている。これによって、分割部で隣接する第４左列検出配線ＷｘＬ（４）および第１右列検出配線ＷｘＲ（１）のいずれか一方にタッチ容量が発生し、それを選択して検出するときに、カップリング容量Ｃｃｘを介して、他方の列検出配線６の偽検出値が発生することを防止することができる。
【００９９】
このようにして、左検出領域ＤＬおよび右検出領域ＤＲの行検出配線７および列検出配線６が全て、並行してスキャンおよび検出される。そして、タッチ座標算出回路２３では、たとえば、行検出配線７の静電容量の検出結果の最大値、および列検出配線６の静電容量の検出結果の最大値が、所定の閾値以上となるか否かによってタッチの有無が判定される。タッチ有りと判定されたときには、たとえば最大値を示す検出配線と隣接する検出配線の検出結果をも用いて、タッチ座標が補間演算され、検出タッチ座標データとして、図示しない外部の装置へ出力される。このような一連の動作が繰返される。
【０１００】
以上のように本実施の形態では、左検出領域ＤＬの行検出配線７ａのスキャン順序と、右検出領域ＤＲの行検出配線７ｂのスキャン順序とをずらす、すなわちスキャンをオフセットさせることによって、分割部で対向して隣接する左右の行検出配線７ａ，７ｂが並行して同時に選択されないようにスキャンするように構成している。したがって、左右のいずれか一方の検出領域の行検出配線７にタッチ容量が生じたときに、分割部で隣接する左右の各検出領域の行検出配線７ａ，７ｂ間のカップリング容量を介して、他方の行検出配線７の静電容量の検出結果として、偽検出値が現れることを防止することができる。
【０１０１】
また本実施の形態では、分割部で隣接する左右の列検出配線６が並行して同時に選択されないようにスキャンするように構成している。したがって、分割部で、分割部の延在方向である長手方向に沿って隣接する左検出領域ＤＬおよび右検出領域ＤＲの列検出配線６ａ，６ｂのうち、一方の列検出配線６にタッチ容量が生じたときに、分割部で一方の列検出配線６と隣接する他方の列検出配線６との間のカップリング容量を介して、他方の列検出配線６の静電容量の検出結果として、偽検出値が現れることを防止することができる。
【０１０２】
また本実施の形態では、非選択の検出用配線６，７には、対応するバッファ回路２５ａ，２５ｂの出力電圧が印加される。これによって、検出対象として選択された検出用配線６，７と、それと同じ検出領域にある非選択の検出用配線６，７との間に形成されるカップリング容量を低減することができるので、検出感度を向上することが可能となる。
【０１０３】
＜第２の実施の形態＞
前述のように、静電容量検出回路として、たとえば測定静電容量を含むＲＣ回路による弛張発振回路を用いる場合、左右の検出系の左側静電容量検出回路（Ｌ）２２ａおよび右側静電容量検出回路（Ｒ）２２ｂの発振は非同期である。したがって、左検出領域ＤＬの第ｊ左行検出配線ＷｙＬ（ｊ）をスキャンするとき、右検出領域ＤＲに対応した検出端２６ｂの検出電圧が、分割部で隣接する右検出領域ＤＲの第ｊ右行検出配線ＷｙＲ（ｊ）に右側バッファ回路２５ｂを介して印加される。右検出領域ＤＲに対応した検出端２６ｂの検出電圧は、カップリング容量Ｃｃｙを中継して、左検出領域ＤＬの第ｊ左行検出配線ＷｙＬ（ｊ）に印加されることとなる。左検出領域ＤＬの検出から見ると、検出とは無関係な電圧、すなわちノイズとなって現れる。
【０１０４】
このことは、右検出領域ＤＲの検出においても同様に当てはまり、左検出領域ＤＬに対応した検出端２６ａの検出電圧が左側バッファ回路２５ａを介して印加され、この電圧が、カップリング容量Ｃｃｙを中継して、右検出領域ＤＲの検出から見ると、ノイズとなって現れる。以上のようなノイズを「カップリングノイズ」という。
【０１０５】
このようなカップリングノイズの大きさは、たとえば左行配線スイッチ回路Ｙ（Ｌ）２１ａおよび右行配線スイッチ回路Ｙ（Ｒ）２１ｂ、ならびに左側静電容量検出回路（Ｌ）２２ａおよび右側静電容量検出回路（Ｒ）２２ｂなどの回路が有する寄生容量などの静電容量とカップリング容量Ｃｃとの関係に依存する。前者を大きくすることで、カップリングノイズ量は低減することが可能ではあるが、その反面、検出時間および検出感度の点からは望ましくない。
【０１０６】
前述の第１の実施の形態において、図１２を参照して説明したように、分割部で隣接する列検出配線６間には、カップリング容量Ｃｃｘが生じる。したがって、左検出領域ＤＬの第４左列検出配線ＷｘＬ（４）をスキャンするとき、この第４左列検出配線ＷｘＬ（４）に接続される検出端２６ａの検出電圧が、分割部で隣接する右検出領域ＤＲの第１右列検出配線ＷｘＲ（１）に印加され、右検出領域ＤＲの右側静電容量検出回路（Ｒ）２０ｂの検出端２６ｂにノイズとなって現れる。
【０１０７】
そこで本実施の形態では、左検出領域ＤＬの第ｊ左行検出配線ＷｙＬ（ｊ）を検出対象として選択するとき、分割部で隣接する右検出領域ＤＲの第ｊ右行検出配線ＷｙＲ（ｊ）への印加電圧を、たとえばグランド電位などの固定電位とする。同様に、右検出領域ＤＲの第ｋ右行検出配線ＷｙＲ（ｋ）を検出対象として選択するとき、分割部で隣接する左検出領域ＤＬの第ｋ左行検出配線ＷｙＬ（ｋ）への印加電圧を、たとえばグランド電位などの固定電位とする。そして、左検出領域ＤＬおよび右検出領域ＤＲのそれぞれが列検出配線６を順次検出対象として選択して検出するときには、第１の実施の形態と同様に、行検出配線とのクロス容量を低減するために、検出端２６ａ，２６ｂの検出電位を、左側および右側バッファ回路２５ａ，２５ｂを介して印加する。
【０１０８】
図１３は、本発明の第２の実施の形態における左列配線スイッチ回路Ｘ（Ｌ）２０ａの構成を示す図である。左行配線スイッチ回路Ｙ（Ｌ）２１ａ、右行配線スイッチ回路Ｙ（Ｒ）２１ｂおよび右列配線スイッチ回路Ｘ（Ｒ）２０ｂは、図１３に示す左列配線スイッチ回路Ｘ（Ｌ）２０ａと同様の構成であるので、記載を省略する。左列配線スイッチ回路Ｘ（Ｌ）２０ａ、左行配線スイッチ回路Ｙ（Ｌ）２１ａ、右行配線スイッチ回路Ｙ（Ｒ）２１ｂおよび右列配線スイッチ回路Ｘ（Ｒ）２０ｂを除くその他の構成は、第１の実施の形態と同様であるので、図示および詳細な説明を省略する。
【０１０９】
検出対象として選択される行検出配線７に対応するセレクタ回路２７は、前述の第１の実施の形態と同様に、検出制御回路２４からの指令に基づいて、第１接点ａ側に切替えられて、左行配線スイッチ回路Ｙ（Ｌ）２１ａでは、左側静電容量検出回路（Ｌ）２２ａの検出端に接続され、右行配線スイッチ回路Ｙ（Ｒ）２１ｂでは、右側静電容量検出回路（Ｒ）２２ｂの検出端に接続される。
【０１１０】
検出対象として選択される行検出配線７以外の行検出配線７、すなわち非選択の行検出配線７に対応するセレクタ回路２７は、第２接点ｂ側に切替えられ、２対１セレクタ回路３０で選択された電位を行検出配線７に印加する。２対１セレクタ回路３０は、検出制御回路２４からの指令に基づいて、行検出配線７をスキャンして検出するときには、第４接点ｄ側に切替えられる。また２対１セレクタ回路３０は、列検出配線６をスキャンして検出するときには、第３接点ｃ側に切替えられる。これによって、左行配線スイッチ回路Ｙ（Ｌ）２１ａでは、左側バッファ回路２５ａの出力電圧がセレクタ回路２７の各第２接点ｂ側ノードへ出力され、右行配線スイッチ回路Ｙ（Ｒ）２１ｂでは、右側バッファ回路２５ｂの出力電圧が、セレクタ回路２７の各第２接点ｂ側ノードへ出力される。
【０１１１】
すなわち、左検出領域ＤＬの第ｊ左行検出配線ＷｙＬ（ｊ）を選択して静電容量を検出するときには、少なくとも分割部で隣接する右検出領域ＤＲの第ｊ右行検出配線ＷｙＲ（ｊ）には、グランド電位などの固定電位が印加される。また、右検出領域ＤＲの第ｋ右行検出配線ＷｙＲ（ｋ）を選択して静電容量を検出するときには、少なくとも分割部で隣接する左検出領域ＤＬの第ｋ左行検出配線ＷｙＬ（ｋ）には、グランド電位などの固定電位が印加される。
【０１１２】
そして、左検出領域ＤＬおよび右検出領域ＤＲともに列検出配線６を選択して検出するときには、左検出領域ＤＬの行検出配線７ａには、左側静電容量検出回路（Ｌ）２２ａの検出端の検出電圧を左側バッファ回路２５ａでバッファリングした電圧が印加される。また右検出領域ＤＲの行検出配線７ｂには、右側静電容量検出回路（Ｒ）２２ｂの検出端の検出電圧を右側バッファ回路２５ｂでバッファリングした電圧が印加される。これによって、前述の第１の実施の形態と同様に、列検出配線６を選択して検出するときの行検出配線７のクロス容量を低減することができる。
【０１１３】
図１４および図１５は、本発明の第２の実施の形態における検出配線のスキャンシーケンスを示すタイミングチャートである。図１４は、左検出領域ＤＬにおける検出配線のスキャンシーケンスを示すタイミングチャートである。図１５は、右検出領域ＤＲにおける検出配線のスキャンシーケンスを示すタイミングチャートである。
【０１１４】
行検出配線７および列検出配線６のスキャンシーケンスは、前述の図１０および図１１に示す第１の実施の形態の場合と同様である。左右の各検出領域ＤＬ，ＤＲにおいて、行検出配線７をスキャンするときには、左行配線スイッチ回路Ｙ（Ｌ）２１ａおよび右行配線スイッチ回路Ｙ（Ｒ）２１ｂの２対１セレクタ回路３０が、図１３の第４接点ｄ側に切替えられ、セレクタ回路２７の第２接点ｂ側にグランド電位などの固定電位が印加される。したがって、行検出配線７のスキャン時に、非選択の行検出配線７には、固定電位が印加されることになる。
【０１１５】
これによって、左右の各検出領域ＤＬ，ＤＲのうち、いずれか一方の検出領域のある行検出配線７を選択して検出しているときに、その行検出配線７と、分割部で隣接する他方の検出領域の行検出配線７とのカップリング容量Ｃｃｙを介して、他方の検出領域の検出電圧をバッファリングした電圧がノイズとなって混入することを防ぐことができる。
【０１１６】
また、左行配線スイッチ回路Ｙ（Ｌ）２１ａおよび右行配線スイッチ回路Ｙ（Ｒ）２１ｂの２対１セレクタ回路３０は、図１３の第３接点ｃ側に切替えられ、左側静電容量検出回路（Ｌ）２２ａおよび右側静電容量検出回路（Ｒ）２２ｂの検出端における検出電圧が、それぞれ左側バッファ回路２５ａおよび右側バッファ回路２５ｂを介して、列検出配線６に印加される。これによって、列検出配線６をスキャンして検出するときの行検出配線７とのクロス部容量を低減し、検出感度を向上することができる。
【０１１７】
列検出配線６をスキャンするときには、第１の実施の形態と同様に、分割部で隣接する第４左列検出配線ＷｘＬ（４）と第１右列検出配線ＷｘＲ（１）とは、並行して同時に選択して検出することがないようにスキャンを行う。これによって、分割部で隣接する第４左列検出配線ＷｘＬ（４）および第１右列検出配線ＷｘＲ（１）のいずれか一方にタッチ容量が発生し、それを選択して検出するときに、カップリング容量Ｃｃｘを介して、他方の列検出配線６の偽検出値が発生することを防止することができる。
【０１１８】
また、このとき、左列配線スイッチ回路Ｘ（Ｌ）２０ａおよび右列配線スイッチ回路Ｘ（Ｒ）２０ｂの２対１セレクタ回路３０が、図１３の第４接点ｄ側に切替えられ、セレクタ回路２７の第２接点ｂ側にグランド電位などの固定電位が印加される。したがって、列検出配線６のスキャン時に、非選択の列検出配線６には、固定電位が印加されることになる。
【０１１９】
これによって、左右の各検出領域ＤＬ，ＤＲのうち、いずれか一方の検出領域のある列検出配線６を選択して検出するとき、その列検出配線６と、分割部で隣接する他方の検出領域の列検出配線６とには、固定電位が印加される。したがって、カップリング容量Ｃｃｘを介して、他方の検出領域の検出電圧をバッファリングした電圧がノイズとなって混入することを防ぐことができる。
【０１２０】
列検出配線６のスキャン中は、左行配線スイッチ回路Ｙ（Ｌ）２１ａおよび右行配線スイッチ回路Ｙ（Ｒ）２１ｂの２対１セレクタ回路３０は、図１３の第３接点ｃ側に切替えられ、左側静電容量検出回路（Ｌ）２２ａおよび右側静電容量検出回路（Ｒ）２２ｂの検出端における検出電圧は、それぞれ左側バッファ回路２５ａおよび右側バッファ回路２５ｂを介して、行検出配線７に印加される。これによって、列検出配線６をスキャンして検出するときの行検出配線７とのクロス部容量を低減し、検出感度を向上することができる。
【０１２１】
＜第３の実施の形態＞
分割部で隣接する列検出配線６間の隣接部の長さは、行検出配線７の数にも依存するが、ほぼ列検出配線６の長さに相当する。他方、分割部で隣接する行検出配線７間の対向する長さは、行検出配線７の幅、換言すれば行検出配線７のピッチに相当する。したがって、列検出配線６間の隣接部の長さは、行検出配線７間の対向する長さの数十倍となるので、隣接する列検出配線６間のカップリング容量Ｃｃｘは、隣接する行検出配線７間のカップリング容量Ｃｃｙに比べてかなり大きくなる。また、分割部で隣接する列検出配線６は、他方の検出領域の全ての行検出配線７にも近接するので、さらにこれらの検出配線とのカップリング容量Ｃｃｘｙも加わることとなる。
【０１２２】
前述の実施の形態では、同じ検出領域にある列検出配線６同士のカップリング容量、および列検出配線６と行検出配線７とのクロス部容量は、検出電圧でバッファリングした電位を非選択配線に印加することによってキャンセルされるように構成している。したがって、選択される列検出配線６の検出への影響は極めて小さい。
【０１２３】
ところが、分割部の一方の検出領域にある列検出配線６と他方の検出領域にある列検出配線６とのカップリング容量は、前述の第１の実施の形態では他方の検出電圧をバッファリングした電位となり、前述の第２の実施の形態では固定電位となる。したがって、他の列検出配線６に比べて、極端に寄生容量が大きくなり、その影響によって検出感度が低下する場合がある。そこで、本実施の形態では、以下のような構成を採用している。
【０１２４】
図１６は、本発明の第３の実施の形態における左列配線スイッチ回路Ｘ（Ｌ）２０ａの構成を示す図である。図１７は、本発明の第３の実施の形態における右列配線スイッチ回路Ｘ（Ｒ）２０ｂの構成を示す図である。本実施の形態では、左列配線スイッチ回路Ｘ（Ｌ）２０ａおよび右列配線スイッチ回路Ｘ（Ｒ）２０ｂは、それぞれ３対１セレクタ回路３１を備える。
【０１２５】
左行配線スイッチ回路Ｙ（Ｌ）２１ａは、図１６に示す左列配線スイッチ回路Ｘ（Ｌ）２０ａと同様の構成であるので、記載を省略する。右行配線スイッチ回路Ｙ（Ｒ）２１ｂは、図１７に示す右列配線スイッチ回路Ｘ（Ｒ）２０ｂと同様の構成であるので、記載を省略する。左列配線スイッチ回路Ｘ（Ｌ）２０ａ、左行配線スイッチ回路Ｙ（Ｌ）２１ａ、右行配線スイッチ回路Ｙ（Ｒ）２１ｂおよび右列配線スイッチ回路Ｘ（Ｒ）２０ｂを除くその他の構成は、第１の実施の形態と同様であるので、図示および詳細な説明を省略する。
【０１２６】
前述の第２の実施の形態における左行配線スイッチ回路Ｙ（Ｌ）２１ａおよび右行配線スイッチ回路Ｙ（Ｒ）２１ｂは、左検出領域ＤＬの場合は左側バッファ回路２５ａの出力電位および固定電位を選択して、セレクタ回路２７の第２接点ｂ側ノードに供給し、右検出領域ＤＲの場合は右側バッファ回路２５ｂの出力電位および固定電位を選択して、セレクタ回路２７の第２接点ｂ側ノードに供給する２対１セレクタ回路３０を備えて構成される。
【０１２７】
これに対して、本実施の形態の各スイッチ回路２０ａ，２０ｂ，２１ａ，２１ｂは、左側バッファ回路２５ａおよび右側バッファ回路２５ｂの出力電位、および固定電位を選択して供給する３対１セレクタ回路３１を備えて構成される。その他の構成は、前述の第１の実施の形態と同様であるので、詳細な説明を省略する。
【０１２８】
図１８および図１９は、本発明の第３の実施の形態のタッチパネルにおける検出配線のスキャンシーケンスを示すタイミングチャートである。図１８は、左検出領域ＤＬにおける検出配線のスキャンシーケンスを示すタイミングチャートであり、図１９は、右検出領域ＤＲにおける検出配線のスキャンシーケンスを示すタイミングチャートである。
【０１２９】
左右の各検出領域ＤＬ，ＤＲの行検出配線７のスキャンおよび検出は、前述の第２の実施の形態と同様であり、検出対象配線に対応する左行配線スイッチ回路Ｙ（Ｌ）２１ａおよび右行配線スイッチ回路Ｙ（Ｒ）２１ｂのセレクタ回路２７が、順次第１接点ａ側に切替えられて選択され、非選択のときには図１６および図１７の第２接点ｂ側に切替えられる。セレクタ回路２７の第２接点ｂ側ノードへの供給電位を選択する３対１セレクタ３１は、図１６および図１７の第４接点ｄ側に切替えられ、グランド電位などの固定電位が印加される。また、左列配線スイッチ回路Ｘ（Ｌ）２０ａおよび右列配線スイッチ回路Ｘ（Ｒ）２０ｂのセレクタ回路２７は、図１６および図１７の第２接点ｂ側に切替えられ、また３対１セレクタ回路３１は第３接点ｃ側に切替えられる。
【０１３０】
このようにして、左右の各検出領域ＤＬ，ＤＲの行検出配線７を並行してスキャンおよび検出した後、列検出配線６のスキャンおよび検出に移行する。前述の第１および第２の実施の形態では、行検出配線７および列検出配線６の全てを並行してスキャンおよび検出するように構成しているが、本実施の形態では、分割部にある左右の各検出領域ＤＬ，ＤＲにある列検出配線のスキャンおよび検出のみを、左右の各検出領域ＤＬ，ＤＲにおいて単独で行う。
【０１３１】
すなわち、まず分割部にある右検出領域ＤＲの第１右列検出配線ＷｘＲ（１）を単独でスキャンおよび検出する。このとき、右列配線スイッチ回路Ｘ（Ｒ）２０ｂの第１右列検出配線ＷｘＲ（１）に対応するセレクタ回路２７は、図１６および図１７の第１接点ａ側に切替えられ、第１右列検出配線ＷｘＲ（１）が選択されて検出対象配線として右側静電容量検出回路（Ｒ）２２ｂの検出端に接続される。右検出領域の列検出配線６のスキャンおよび検出期間中は、右列配線スイッチ回路Ｘ（Ｒ）２０ｂの３対１セレクタ回路３１は、図１６および図１７の第４接点ｄ側に切替わり、第２の実施の形態と同様に、非選択の列検出配線６には固定電位が印加される。また、右行配線スイッチ回路Ｙ（Ｒ）２１ｂの３対１セレクタ回路３１は、第３接点ｃ側に切替わり、第２の実施の形態と同様に、右検出領域ＤＲにある全ての行検出配線７には、右側静電容量検出回路（Ｒ）２２ｂの検出端の電位が、右側バッファ回路２５ｂ介して印加され、列検出配線６とのクロス部容量を低減する。
【０１３２】
右検出領域ＤＲの第１右列検出配線ＷｘＲ（１）を単独でスキャンおよび検出するとき、左検出領域ＤＬにおいては、スキャンおよび検出を行わない。すなわち、左列配線スイッチ回路Ｘ（Ｌ）２０ａおよび左行配線スイッチ回路Ｙ（Ｌ）２１ａのセレクタ回路２７は、全て図１６および図１７の第２接点ｂ側に切替えられ、いずれの検出配線も検出対象として選択しない。このとき、第２接点ｂ側ノードに供給する電位を選択する３対１セレクタ回路３１は、第５接点ｅ側に切替わり、右検出領域ＤＲの第１右列検出配線ＷｘＲ（１）の検出時に、右側静電容量検出回路（Ｒ）２２ｂの検出端の検出電位が、右側バッファ回路２５ｂを介して印加される。これによって、分割部にある右検出領域ＤＲの第１右列検出配線ＷｘＲ（１）と、左検出領域ＤＬの第４左列検出配線ＷｘＬ（４）との寄生容量を低減することができる。したがって、検出感度の低下を防ぐことができる。
【０１３３】
右検出領域ＤＲの第１右列検出配線ＷｘＲ（１）を単独でスキャンおよび検出した後、分割部にない列検出配線６を、第１および第２の実施の形態と同様に、並列して順次スキャンおよび検出する。
【０１３４】
そして、分割部にある左検出領域ＤＬの第４左列検出配線ＷｘＬ（４）を単独でスキャンおよび検出する。このとき、左列配線スイッチ回路Ｘ（Ｌ）２０ａの第４左列検出配線ＷｘＬ（４）に対応するセレクタ回路２７は、図１６および図１７の第１接点ａ側に切替えられ、第４左列検出配線ＷｘＬ（４）が選択されて、検出対象配線として左側静電容量検出回路（Ｌ）２２ａの検出端に接続される。左検出領域ＤＬの列検出配線６のスキャンおよび検出期間中は、左列配線スイッチ回路Ｘ（Ｌ）２０ａの３対１セレクタ回路３１は、図１６および図１７の第４接点ｄ側に切替わり、第２の実施の形態と同様に、非選択の列検出配線６には固定電位が印加される。また、左行配線スイッチ回路Ｙ（Ｌ）２１ａの３対１セレクタ回路３１は、第３接点ｃ側に切替わり、第２の実施の形態と同様に、左検出領域ＤＬにある全ての行検出配線７には、左側静電容量検出回路（Ｌ）２２ａの検出端電位が、左側バッファ回路２５ａ介して印加され、列検出配線とのクロス部容量を低減する。
【０１３５】
左検出領域ＤＬの第４左列検出配線ＷｘＬ（４）を単独でスキャンおよび検出するとき、右検出領域ＤＲにおいては、スキャンおよび検出を行わない。すなわち、右列配線スイッチ回路Ｘ（Ｒ）２０ｂおよび右行配線スイッチ回路Ｙ（Ｒ）２１ｂのセレクタ回路２７は、全て図１６および図１７の第２接点ｂ側に切替えられ、いずれの検出配線も検出対象として選択しない。このとき、第２接点ｂ側ノードに供給する電位を選択する３対１セレクタ回路３１は、第５接点ｅ側に切替わり、左検出領域ＤＬの第４列検出配線ＷｘＬ（４）の検出時に、左側静電容量検出回路（Ｌ）２２ａの検出端の検出電位が、左側バッファ回路２５ａを介して印加される。これによって、分割部にある左検出領域ＤＬの第４列検出配線ＷｘＬ（４）と、右検出領域ＤＲの第１右列検出配線ＷｘＲ（１）との寄生容量を低減することができる。したがって、検出感度の低下を防ぐことができる。
【０１３６】
＜第４の実施の形態＞
本実施の形態では、前述の第１の実施の形態におけるタッチスクリーン１を液晶表示パネル４１と貼合わせることによって、タッチパネルと液晶表示パネルとを一体に構成した液晶表示装置について説明する。
【０１３７】
図２０は、本発明の第４の実施の形態である液晶表示装置の構成を示す断面図である。液晶表示装置は、前述の図３に示すタッチスクリーン１を含むタッチパネル１００と、液晶表示パネル４１と、バックライト４９とを備えて構成される。液晶表示パネル４１は、カラーフィルタ基板４４と、ＴＦＴアレイ基板４６と、液晶層４５と、粘着層４７と、偏光板４８とを備えて構成される。図２０では、理解を容易にするために、図３に示すＦＰＣ基板１７およびコントローラ基板１８の記載を省略する。
【０１３８】
カラーフィルタ基板４４は、ガラス基板上にカラーフィルタ、ブラックマトリックス、透明電極、および配向膜が形成されて成る。ＴＦＴアレイ基板４６は、ガラス基板上にスイッチング素子である薄膜トランジスタ（Thin Film Transistor；略称：ＴＦＴ）などが形成されて成る。液晶層４５は、カラーフィルタ基板４４とＴＦＴアレイ基板４６との間に挟持され、たとえばツイステッドネマティック（Twisted Nematic；略称：ＴＮ）液晶から成る。偏光板４８は、粘着層４７によってＴＦＴアレイ基板４６の厚み方向他方側の表面に粘着されている。さらに、カラーフィルタ基板４４の厚み方向一方側の表面には、粘着層４３によって、偏光板４２が粘着されている。また、液晶表示パネル４１の背面側である厚み方向他方側には、光源であるバックライト４９が配設されている。
【０１３９】
また、前述の第１の実施の形態に係るタッチスクリーン１は、粘着層４０によって、液晶表示パネル４１の前面側である厚み方向一方側に配置される偏光板４２に粘着されている。
【０１４０】
ＴＦＴアレイ基板４６には、図示しない外部のドライバ回路から、表示する画像に応じた信号（以下「画像信号」という場合がある）が入力される。ＴＦＴアレイ基板４６は、入力された画像信号に応じて、画素毎に形成されたＴＦＴによるスイッチング素子を介して、液晶層４５の印加電圧を制御して、その液晶分子の配列方向を変化させる。バックライト４９からの入射光は、偏光板４８を通過して直線偏光の光となり、液晶層４５を通過することによって、表示する画像の信号に応じて振動方向が曲げられる。そして振動方向が曲げられた光は、カラーフィルタ基板４４に形成されたカラーフィルタを通過することによって、三原色の光に分離され、さらに前面側の偏光板４２を通過することによって、画像信号に応じた光強度を有する光となる。そして、さらに、偏光板４２を通過した光が、その前面にあるタッチスクリーン１を通過して表示光として使用者に視認される。
【０１４１】
このようにして、画像信号に応じて、バックライト４９からの光の透過率を制御することによって、液晶表示装置は所望の表示を行う。また、タッチスクリーン１を含むタッチパネル１００は、前述の第１の実施の形態と同様に、発振周期の変化に基づいてタッチ座標値を算出して、タッチ座標値をタッチ座標データとして出力する。
【０１４２】
前述のように、タッチパネル１００では、左検出領域ＤＬと右検出領域ＤＲとで検出配線６，７のスキャン順序をずらすことによって、偽検出値が現れることを防止し、タッチの発生の有無の誤判定を生じさせることなく、安定したタッチ座標算出結果を得ることができるという効果を達成している。このようなタッチパネル１００を備えて液晶表示装置を構成することによって、タッチの発生の有無の誤判定が無く、安定したタッチ座標算出結果を得ることのできる液晶表示装置を実現することができる。
【０１４３】
また本実施の形態の液晶表示装置では、タッチスクリーン１を表示パネル４１に貼付けて一体に構成したので、従来必要であったタッチスクリーンの保持機構を無くすことができ、装置全体を薄くすることが可能となる。
【０１４４】
またタッチスクリーン１と表示パネル４１とが一体に構成されるので、タッチスクリーン１と表示パネル４１との間隙にゴミなどが混入することを防ぎ、ゴミなどの混入によって生じる表示への悪影響を防止することができる。
【０１４５】
また前述の第１の実施の形態で説明したように、タッチスクリーン１では、複数の検出用配線２，３によって検出用配線群６，７を構成して、検出用配線２，３の間のスリット状開口部の面積を大きく設定することで、表示光の透過率の低下を抑制している。これによって、偏光板４２を通過した殆どの光は、タッチスクリーン１を通過して表示光となる。したがって、タッチスクリーン１が液晶表示パネル４１の前面に配設されていても、表示輝度を殆ど低下させることがない。
【０１４６】
前述の各実施の形態では、便宜上、左右の各検出領域ＤＬ，ＤＲの行検出配線７を６本、列検出配線６を４本として説明したが、検出配線６，７の数はこれらの値に限定されるものではない。また前述の各実施の形態では、行検出配線７のスキャンオフセット量を「３」、すなわち「３本ずらし」として説明したが、分割部で隣接する行検出配線７が並行して選択されて検出されなければ、オフセット量は適宜選定することができる。
【０１４７】
また、左右の各検出領域ＤＬ，ＤＲの列検出配線６についても、前述の各実施の形態では、左から順次スキャンする場合を説明したが、分割部で隣接する列検出配線６が並行して選択されて検出されなければよく、スキャンする順序はこれに限定されない。
【０１４８】
また前述の各実施の形態では、タッチスクリーン１の検出領域を、左右方向に２分割した構成について説明したが、上下方向に２分割した構成、あるいは上下方向および左右方向に４分割した構成であっても、同様に実施することが可能である。
【０１４９】
また前述の各実施の形態では、各検出配線６，７を選択する左列配線スイッチ回路Ｘ（Ｌ）２０ａ、右列配線スイッチ回路Ｘ（Ｒ）２０ｂ、左行配線スイッチ回路Ｙ（Ｌ）２１ａ、および右行配線スイッチ回路Ｙ（Ｒ）２１ｂは、各検出配線６，７に対応して設けられる２対１セレクタ回路２７、または２対１セレクタ回路２７と、非選択配線に印加される電位を切替えるための２対１セレクタ回路３０および３対１セレクタ回路３１とを備えて構成されるが、このような構成に限定されない。各検出配線６，７を選択する左列配線スイッチ回路Ｘ（Ｌ）２０ａ、右列配線スイッチ回路Ｘ（Ｒ）２０ｂ、左行配線スイッチ回路Ｙ（Ｌ）２１ａ、および右行配線スイッチ回路Ｙ（Ｒ）２１ｂは、検出配線６，７を選択して静電容量検出回路の検出端に接続するとともに、非選択配線に印加される電位を切替えられる構成であればよい。
【０１５０】
また、検出方法は、検出容量の変化によって発振周期が変化する弛張発振回路を用いる方法を中心として説明したが、このような検出方法に限定されるものではない。たとえば、ヒステリシス発振回路を用いる方法であってもよい。
【符号の説明】
【０１５１】
１  タッチスクリーン、２  検出用列配線、３  検出用行配線、４  列接続用配線、５  行接続用配線、６  検出用列配線群、７  検出用行配線群、８，９  引き出し配線、１０  端子、１２  ベース基板、１３  層間絶縁膜、１４  保護膜、１７  フレキシブルプリント基板（ＦＰＣ）、１８  コントローラ基板、１９  検出処理回路、２０ａ  左列配線スイッチ回路Ｘ（Ｌ）、２０ｂ  右列配線スイッチ回路Ｘ（Ｒ）、２１ａ  左行配線スイッチ回路Ｙ（Ｌ）、２１ｂ  右行配線スイッチ回路Ｙ（Ｒ）、２２ａ  左側静電容量検出回路（Ｌ）、２２ｂ  右側静電容量検出回路（Ｒ）、２３  タッチ座標算出回路、２４  検出制御回路、２５ａ  左側バッファ回路、２５ｂ  右側バッファ回路、４１  液晶表示パネル、１００  タッチパネル、ＤＬ  左検出領域、ＤＲ  右検出領域。
【図１】
2011238146.tif 000003
【図２】
2011238146.tif 000004
【図３】
2011238146.tif 000005
【図４】
2011238146.tif 000006
【図５】
2011238146.tif 000007
【図６】
2011238146.tif 000008
【図７】
2011238146.tif 000009
【図８】
2011238146.tif 000010
【図９】
2011238146.tif 000011
【図１０】
2011238146.tif 000012
【図１１】
2011238146.tif 000013
【図１２】
2011238146.tif 000014
【図１３】
2011238146.tif 000015
【図１４】
2011238146.tif 000016
【図１５】
2011238146.tif 000017
【図１６】
2011238146.tif 000018
【図１７】
2011238146.tif 000019
【図１８】
2011238146.tif 000020
【図１９】
2011238146.tif 000021
【図２０】
2011238146.tif 000022
【図２１】
2011238146.tif 000023
【図２２】
2011238146.tif 000024